(57)【特許請求の範囲】
【請求項１】
住宅引渡しが完了したユニット工法住宅邸の中からメンテナンス対象の邸の絞り込みを行うための、記憶手段と制御手段とを備えてなる邸展開データ検索システムであって、
前記記憶手段は、
上記ユニット工法住宅邸それぞれの固有情報に対応して、邸を構成する部材の品番を、当該品番の部材が使用されているユニット番号と共に記憶する部材データベースと、
上記ユニット工法住宅邸それぞれの固有情報に対応して、少なくとも生産会社コード，依頼部署コード，工事部所コードのいずれかを含む邸の属性情報を記憶する邸情報データベースと、
を有し、
前記制御手段は、
通信回線を介して接続された端末からの特定の部材の品番の指定に対応して、前記部材データベースから、当該指定された品番の部材が使用されている邸の固有情報及びユニット番号を検索し、前記邸情報データベースから、当該検索された邸の固有情報に対応した邸の属性情報を検索して、当該指定された品番の部材が使用されている各邸の、固有情報とユニット番号と属性情報とを対照づけたリストを作成し、当該指定元の端末に通信回線を介して出力制御する
ことを特徴とする邸展開データ検索システム。
【請求項２】
住宅引渡しが完了したユニット工法住宅邸の中からメンテナンス対象の邸の絞り込みを行うための、記憶手段と制御手段とを備えてなる邸展開データ検索システムであって、
前記記憶手段は、
上記ユニット工法住宅邸それぞれの固有情報に対応して、邸を構成する部材の品番を、当該品番の部材が使用されているユニット番号と共に記憶する部材データベースと、
上記ユニット工法住宅邸それぞれの固有情報に対応して、少なくとも生産会社コード，依頼部署コード，工事部所コードのいずれかを含む邸の属性情報を記憶する邸情報データベースと、
を有し、
前記制御手段は、
通信回線を介して接続された端末からの特定の部材の品番の指定、及び生産会社コード，依頼部署コード，工事部所コードのいずれかによる邸の属性情報の指定に対応して、前記部材データベースから、当該指定された品番の部材が使用されている邸の固有情報及びユニット番号を検索し、前記邸情報データベースから、当該指定された邸の属性情報に該当する邸の固有情報を検索して、当該指定された品番の部材が使用されており、かつ当該指定された邸の属性情報に該当する各邸の、固有情報とユニット番号とを対照づけたリストを作成し、当該指定元の端末に通信回線を介して出力制御する
ことを特徴とする邸展開データ検索システム。
【請求項３】
前記部材データベースには、生産部門のシステムから通信回線を通じて提供される、生産部門で管理している邸別の部材データに基づいて、邸を構成する部材の品番、ならびに当該品番の部材が使用されているユニット番号が記憶される
ことを特徴とする請求項１又は２記載の邸展開データ検索システム。
【請求項４】
前記制御手段は、前記作成したリストを出力制御するに際して、該当する邸の出力件数を報知すると共に、前記邸の属性情報を指定又は指定し直して、当該リストにおける該当する邸の出力件数を絞り込む絞り込み機能を有する
ことを特徴とする請求項１、２又は３記載の邸展開データ検索システム。
【発明の詳細な説明】
【０００１】
【発明の属する技術分野】
本発明は邸展開データ検索システムに関し、特にメンテナンスが必要とされる部材が用いられている邸を検索して一覧表示できる邸展開データ検索システムに関する。
【０００２】
【従来の技術】
建築メーカでは、顧客への邸引渡し後に、住宅の保全・修繕に関するアフターサービスを行っている。このアフターサービスでは、顧客邸に適した部品が迅速に提供されることが望ましい。
【０００３】
一般に、建築メーカでは、施主から部材のリコール等の請求があった場合に、部材の交換、メンテナンス等を行って対応していた。
【０００４】
【発明が解決しようとする課題】
住宅のメンテナンスの対象となる部材の交換・補修の周期は、一般に５〜１０年程度である。
【０００５】
しかしながら、邸完成時から時間がかなり経過しているため、どのような部材が、各邸に用いられていたかの情報が無い場合がある。この場合には、全邸の使用部材の洗い出しに時間がかかり、実際には、施主から部材のリコール等の請求があった場合のみ迅速に対応出来るので、アフターサービス性が良好であるとは言い難かった。
【０００６】
また、邸完成後に使用された部材の機能的欠陥が発覚する場合がある。この場合も、部材が使用されている全邸に対して迅速な対応を行いにくいといった問題があった。
【０００７】
そこで、本発明の目的は、所定の部材が使用されている邸のリストを迅速に出力出来、アフターサービス性を向上させることが出来る邸展開データ検索システムを提供することにある。
【０００８】
【課題を解決するための手段】
本発明は、住宅引渡しが完了したユニット工法住宅邸の中からメンテナンス対象の邸の絞り込みを行うための、記憶手段と制御手段とを備えてなる邸展開データ検索システムであって、前記記憶手段は、上記ユニット工法住宅邸それぞれの固有情報に対応して、邸を構成する部材の品番を、当該品番の部材が使用されているユニット番号と共に記憶する部材データベースと、上記ユニット工法住宅邸それぞれの固有情報に対応して、少なくとも生産会社コード，依頼部署コード，工事部所コードのいずれかを含む邸の属性情報を記憶する邸情報データベースと、を有し、前記制御手段は、通信回線を介して接続された端末からの特定の部材の品番の指定に対応して、前記部材データベースから、当該指定された品番の部材が使用されている邸の固有情報及びユニット番号を検索し、前記邸情報データベースから、当該検索された邸の固有情報に対応した邸の属性情報を検索して、当該指定された品番の部材が使用されている各邸の、固有情報とユニット番号と属性情報とを対照づけたリストを作成し、当該指定元の端末に通信回線を介して出力制御することを特徴とする。
【０００９】
また、本発明は、住宅引渡しが完了したユニット工法住宅邸の中からメンテナンス対象の邸の絞り込みを行うための、記憶手段と制御手段とを備えてなる邸展開データ検索システムであって、前記記憶手段は、上記ユニット工法住宅邸それぞれの固有情報に対応して、邸を構成する部材の品番を、当該品番の部材が使用されているユニット番号と共に記憶する部材データベースと、上記ユニット工法住宅邸それぞれの固有情報に対応して、少なくとも生産会社コード，依頼部署コード，工事部所コードのいずれかを含む邸の属性情報を記憶する邸情報データベースと、を有し、前記制御手段は、通信回線を介して接続された端末からの特定の部材の品番の指定、及び生産会社コード，依頼部署コード，工事部所コードのいずれかによる邸の属性情報の指定に対応して、前記部材データベースから、当該指定された品番の部材が使用されている邸の固有情報及びユニット番号を検索し、前記邸情報データベースから、当該指定された邸の属性情報に該当する邸の固有情報を検索して、当該指定された品番の部材が使用されており、かつ当該指定された邸の属性情報に該当する各邸の、固有情報とユニット番号とを対照づけたリストを作成し、当該指定元の端末に通信回線を介して出力制御すことを特徴とする。
【００１０】
また、本発明では、前記部材データベースには、生産部門のシステムから通信回線を通じて提供される、生産部門で管理している邸別の部材データに基づいて、邸を構成する部材の品番、ならびに当該品番の部材が使用されているユニット番号が記憶されることを特徴とする。
【００１１】
このように構成された本発明では、前記制御手段が、特定の部材の品番の指定、又は特定の部材の品番及び邸の属性情報の指定に対応して、前記部材データベース，邸情報データベースから、当該指定された品番及び邸の属性情報を含む邸の、該当する固有情報及びユニット番号を有するリストを作成し、出力制御する。
【００１２】
このため、問題が生じた部材が使用されている邸が、一覧として出力されて、直ちに、交換、或いは修繕等のメンテナンスを行えるので、アフターサービス性が良好である。
【００１４】
そして、指定された部材データの部材が、用いられている邸のリストが、読み出されて出力されることにより、問題が発生しそうな邸のリストを含めて、出力することが出来る。
【００１５】
このため、問題発生前に、事前に使用上の注意、交換を行えるので、アフターサービス性を更に向上させることが出来る。
【００１６】
また、本発明では、前記制御手段は、前記作成したリストを出力制御するに際して、該当する邸の出力件数を報知すると共に、前記邸の属性情報を指定又は指定し直して、当該リストにおける該当する邸の出力件数を絞り込む絞り込み機能を有することを特徴とする。
【００１７】
これにより、前記邸情報が指定されることにより、前記制御手段の絞り込み機能で、リストの出力件数が絞り込まれる。
【００１８】
このため、予め出力された邸のリストの出力件数が、多い場合でも、該絞り込みにより件数を減少させて、或いは分割させて出力することが出来、メンテナンスが必要な邸の洗い出しを更に、迅速に行うことができる。
【００１９】
【発明の実施の形態】
以下、本発明の実施の形態を添付図面と対応して詳細に説明する。
【００２０】
図１は、本発明の実施の形態による邸展開データ検索システムの構成を説明するブロック図である。
【００２１】
はじめに、本邸展開データ検索システム（以下、検索システムと呼ぶ）は、イントラネット又はインターネット等の通信回線網５を利用して、邸別の設備・部材・部品データ（以下、部材データと呼ぶ）を管理する情報部門と、住宅引渡し後のアフターサービスを担当するアフターメンテナンス部門又は補修作業等を担当する工事・施工部門間での部品データに関する情報のやり取りを行うものである。
【００２２】
特に、本実施の形態では、生産部門で稼動しているＭＲＰ(Material Requirement Planning)システムで管理している邸別の部品表（部材データ）をアフターサービスにおける部品の供給にも利用する。
【００２３】
図１に示す検索システムは、ＭＲＰサーバ１、検索サーバ２、アフターサービス端末（以下、ＡＳ端末と呼ぶ）３、工事・施工端末４、及び通信回線網５により構成される。
【００２４】
ＭＲＰサーバ１は、住宅の生産部門に配置され、１つの邸の構成要素（利用した全部品）を邸別部品表の形式で管理する。ＭＲＰサーバ１は、イントラネット５を介して検索サーバ２に接続される。
【００２５】
検索サーバ２は、いわゆるＷＥＢサーバであり、情報管理部門に配置され、情報管理者等により操作される。検索サーバ２は、ＭＲＰサーバ１で管理されている邸別部品表のデータのうち、住宅引渡しが完了した邸の部材データを管理する。  また、ＡＳ端末３又は工事・施工端末４からの検索要求に応じて、管理している部材データから該当する部材データを検索する。
【００２６】
ＡＳ端末３は、アフターメンテナンス部門に配置され、アフターサービス担当者等により操作される。ＡＳ端末３は、インターネット又はイントラネット等からなる通信回線網５を介して検索サーバ２に接続し、検索サーバ２で管理されている部材データの中から、住宅のメンテナンス等で供給すべき部材をＷＥＢ画面上で検索する。
【００２７】
工事・施工端末４は、工事・施工部門に配置され、工事担当者等により操作される。工事・施工端末４は、通信網５を介して検索サーバ２に接続し、検索サーバ２で管理されている部材データの中から、住宅のメンテナンス等で供給すべき部材をＷＥＢ画面上で検索する。また、工事・施工端末４は、通信網５上で稼動している電子掲示板等でＡＳ部門との部材データに関する情報のやり取りを行う。
【００２８】
図１において、検索サーバ２とＡＳ端末３又は工事・施工端末４とは、ＴＣＰ／ＩＰ等のインターネット用の通信プロトコルを用いて通信可能に接続される。
【００２９】
ＡＳ端末３、工事・施工端末４は、ＷＥＢブラウザ等を利用して、検索サーバに管理されている部材データの検索を行う。
【００３０】
図２は、本実施の形態による検索サーバ２の詳細構成を説明する図である。
【００３１】
本検索サーバ２は、制御手段としての制御部９、送信／受信部１１、ＲＡＭ１３、ＲＯＭ１５、入力操作部１７、表示部１９、ＣＤ−ＲＯＭドライブ２１、邸情報データベース（以下、ＤＢと呼ぶ）２５、及び部材ＤＢ２７により主に構成される。
【００３２】
制御部９はＣＰＵであり、本検索サーバ２全体の動作を制御する。
【００３３】
特に、（１）ＡＳ端末３、工事・施工端末４からの検索要求、該要求に対する検索結果等に関するデータ通信制御、
（２）上記検索要求時に、邸情報ＤＢ２５及び部材ＤＢ２７等に記憶されているデータを用いた検索処理、すなわち、特定の部材の指定又は属性情報の指定に応じて、前記記憶手段に記憶されている部材データの中から該当する部材データを有する邸のリストを読み出して出力制御等を行う。
【００３４】
送信／受信部１１は、制御部９の指示に基づいて、ＡＳ端末３、工事・施工端末４との間でデータの送信及び受信処理を行う。
【００３５】
ＲＡＭ１３は、検索サーバ２の処理に必要なデータを一時的に格納する。特に、上記検索処理時に、ＡＳ端末３、工事・施工端末４に転送する各表示画面データ（図６〜図８参照）を一時的に格納する。ＲＯＭ１５は、本検索サーバ２の処理プログラム等を固定的に格納する。
【００３６】
入力操作部１７は、キーボード、マウス等であり、後述する各種データベースの内容登録又は更新時等に操作される。表示部１９は、ＬＣＤ等であり各種データベースの内容登録又は更新時等に、制御部９からのコードデータをその都度表示用データに変換して表示処理を行う。
【００３７】
ＣＤ−ＲＯＭドライブ２１は、制御部９からの指示に基づいて、ＣＤ−ＲＯＭ２３に格納されているプログラム等を読み出してＲＡＭ１３等に書き込む。
【００３８】
邸情報ＤＢ２５、部材ＤＢ２７は、光磁気ディスクライブラリ装置等の大容量の記憶装置である。図２では、各ＤＢ２５，２７は各記憶装置に個別に格納されるように示しているが、これらのデータベースが１台の記憶装置に設けられていてもよい。
【００３９】
邸情報ＤＢ２５は、邸毎に管理される邸情報を記憶する。
【００４０】
図３は、邸情報ＤＢ２５に記憶される邸情報を例示する図である。
【００４１】
本実施の形態において、邸情報は、邸コード及び邸名に対応して、商品タイプ、出荷日、生産会社コード、依頼部署コード、工事部所コード、及びこの邸情報ＤＢ２５に記憶された日を表す新規登録日が記憶される。
【００４２】
邸コード、邸名は、検索対象となる邸を識別するために、建築メーカ等により邸に固有に登録される。
【００４３】
図３の例では、邸情報が２件記憶されている。１件目の邸情報は、邸コード“AAA001”、邸名“ヤマダサマ001”に対応して、商品タイプ“××１”、出荷日“1999.01.08”、生産会社コード“pro001”、依頼部署コード“req008”、工事部所コード“buil007”、新規登録日“1998.09.20”が記憶されている。
【００４４】
また、２件目の邸情報は、邸コード“ABC003”、邸名“スズキサマ001”に対応して、商品タイプ“○×２”、出荷日“1999.03.21”、生産会社コード“pro004”、依頼部署コード“req009”、工事部所コード“buil014”、新規登録日“1998.10.08”が記憶されている。
【００４５】
部材ＤＢ２７は、邸毎に管理されている部材データが記憶されている。
【００４６】
図４は、部材ＤＢ２７に記憶される部材データを例示する図である。
【００４７】
本実施の形態において、部材データは、邸に固有な情報である邸コード、邸名に対応して、該部材が取り付けられているユニット、部位等の属性情報と共に記憶される。図４の例では、図３で例示した邸コード“AAA001”、“ABC003”に対応する部材データが各々記憶されている。
【００４８】
１件目の部材データは、生産工場“ＫＳＫ”、施工販売会社“ＧＳＨ”、出荷時期“1999.0108”、邸コード“AAA001”及び邸名“ヤマダサマ001”、商品タイプ“Ｄ２”に対応し、次に示す情報が例示されている。（１）品番“xx123”、品名“○○○○○”、数量“１”、ユニット番号“0”、部位“Y”、区分“場内”、及び工場取扱品“○”、（２）品番“xx009”、品名“×××××”、数量“4”、ユニット番号“0”、部位“Y”、区分“場内”、及び工場取扱品“○”、（３）品番“xx921”、品名“△△△△△”、数量“2”、ユニット番号“0”、部位“Y”、区分“場外”、及び工場取扱品“○”。
【００４９】
ここで、「区分」とは、各部材の発送形態を示し、工場内で取り付けた部材である場合には、１の「場内」、取り付けずに出荷したに部材である場合には、２の「積込」、工場製造部材である場合には、３の「出荷」、欠品時等の後日発送部材である場合には、４の「追送」のいずれかが示される。また、「工場取扱品」とは、部材が工場加工品であるか否かを示す。
【００５０】
２件目の部材データは、生産工場“ＴＳＫ”、施工販売会社“ＴＳＨ”、出荷時期“1999.03.21”、邸コード“ABC003”及び邸名“スズキサマ001”、商品タイプ“ＰＡ”に対応し、次に示す情報が例示されている。（１）品番“zz123”、品名“○×○×○”、数量“2”、ユニット番号“0”、部位“Y”、区分“場内”、及び工場取扱品“○”、（２）品番“zz008”、品名“×○×○×”、数量“4”、ユニット番号“0”、部位“Y”、区分“場内”、及び工場取扱品“○”、（３）品番“zz923”、品名“△○△×△”、数量“3”、ユニット番号“0”、部位“Y”、区分“場内”、及び工場取扱品“○”。
【００５１】
このデータ構造により、例えば、邸に固有な情報が１つ指定された場合、該邸を構成する全部材データを知ることができる。さらに、部材ＤＢ２７での検索では、前記制御部９が、予め邸のリストの出力件数を出力すると共に、前記邸情報を指定して、リストの出力件数を絞り込む絞り込み機能を有していて、部材の特徴を表わす属性情報であるユニット番号又は部位等の指定により、的を絞った検索が可能となる。
【００５２】
つぎに、本実施の形態による検索システムの動作を説明する。
【００５３】
図５は、本実施の形態による検索システムの動作を説明するフローチャートである。ここでは、ＡＳ端末３からの検索要求に応じて、検索サーバ２が処理を実行する場合を例に説明する。
【００５４】
はじめに、ステップＳ１０１では、ＡＳ端末３からの検索要求を受信し、次いでステップＳ１０２で、該要求に応じて、制御部９は検索システムを起動する。
【００５５】
これにより、ステップＳ１０３では、図６に示すような邸検索画面がＡＳ端末３に表示される。
【００５６】
図６は、本実施の形態の邸検索画面を例示する図である。
【００５７】
この画面は、部材を供給する対象となる邸の絞り込みを行う画面である。検索条件を入力してボタン“検索”をマウス等でクリックすると、邸情報ＤＢ２５から条件に該当する邸が検索される。
【００５８】
この画面上には、コメント“邸データの検索条件を入力してください。邸名カナ、％、＿を使ったあいまい検索ができます。”が表示されている。また、上記コメントの下には、検索条件を入力するボックス「邸コード」、「邸名カナ」、「商品タイプ」、「出荷日」、「生産会社コード」、「依頼部署コード」、「工事部所コード」が各々設けられている。
【００５９】
つぎに、ステップＳ１０４では、検索条件が入力される。本実施の形態では、検索条件として「商品タイプ」“mmm”を入力する。つぎに、ステップＳ１０５で、ボタン“条件クリア”がクリックされたか否かを判別する。ステップＳ１０５において、ボタン“条件クリア”がクリックされた場合には、先に入力された検索条件を表示画面からクリアしてステップＳ１０４に戻る。また、ボタン“条件クリア”がクリックされない場合、ステップＳ１０６に進む。
【００６０】
ステップＳ１０６では、ボタン“検索”のクリックに応じて、制御部９は邸情報ＤＢ２５を参照し、次いでステップＳ１０７で、受信した邸検索条件「商品タイプ」“mmm”に該当する邸情報を読み出す。ステップＳ１０８では、上記読み出された邸情報をＡＳ端末３に送信し、図７に示す邸検索結果画面の画面データと共に表示する。
【００６１】
なお、本実施の形態での検索条件の入力に関し、「邸コード」には、検索した邸の邸コードが入力される。「邸名カナ」には、検索したい邸の邸名（カナ）が入力される。「商品タイプ」には、ボタン“◇”をクリックすることで表示されるドロップダウンメニューから商品タイプが選択される。「出荷日」には、出荷日の範囲が指定される。指定された日も範囲内に含まれる。“〜”の前方にのみ日付が指定された場合には、指定された日に出荷された邸が検索される。「生産会社コード」、「依頼部署コード」、又は「工事部所コード」には、生産会社コードが入力される。これら検索条件の入力では、複数の検索条件が指定された場合には、それらを満たす邸が全て検索される。
【００６２】
図７は、本実施の形態の邸検索結果画面を例示する図である。
【００６３】
この画面は、図６での検索結果を表示する。本実施の形態では、邸の検索結果は、５０件ずつ表示される。結果は邸コードの昇順に表示される。ある邸コードをマウス等でクリックすると、該当邸の部材データを検索する画面（図８参照）が表示される。また、記号「CSV」をクリックすると、該当邸の部材データがダウンロードされる。
【００６４】
この例では、図６の検索条件「商品タイプ」“mmm”にヒットした全邸情報が表示される。この画面上には、コメント“邸コードをクリックすると、その邸の部材展開データが検索できます。展開データをダウンロードするには行頭のCSVをクリックしてください”が表示されている。
【００６５】
また、上記コメントの下には、検索結果となる邸情報が表示されている。ここでは３件の邸情報が表示されており、図３同様に、邸コード、邸名、商品タイプ、出荷日、生産会社コード、依頼部署コード、工事部所コード、新規登録日が表示されている。
【００６６】
１件目には、邸コード“QQQ001”、邸名“タナカサマ001”、商品タイプ“mmm”、出荷日“1999.01.09”、生産会社“pro001”、依頼部署“req001”、工事部所“buil003”、新規登録日“1998.7.20”からなる邸情報が表示されている。
【００６７】
２件目には、邸コード“QQQ003”、邸名“ヤマグチサマ001”、商品タイプ“mmm”、出荷日“1999.02.11”、生産会社“pro004”、依頼部署“req002”、工事部所“buil001”、新規登録日“1998.9.22”からなる邸情報が表示されている。
【００６８】
３件目には、邸コード“QQQ007”、邸名“マツイサマ001”、商品タイプ“mmm”、出荷日“1999.05.21”、生産会社“pro002”、依頼部署“req008”、工事部所“buil003”、新規登録日“1998.11.08”からなる邸情報が表示されている。
【００６９】
ここで、ＡＳ端末３は、上記３件の邸情報のうち、部材を供給する邸の指定として、たとえば邸コード“QQQ001”をマウス等でクリックする。ステップＳ１０９では、検索サーバ２は指定された邸コード“QQQ001”を受信し、次いでステップＳ１１０で、制御部９は部材ＤＢ２７を参照して、受信した邸コード“QQQ001”に該当する部材データを全て読み出す。
【００７０】
ステップＳ１１１では、上記読み出された部材データをＡＳ端末３に送信し、図８に示す邸別部材検索画面の画面データと共に表示する。
【００７１】
図８は、本実施の形態の邸別部材検索画面を例示する図である。
【００７２】
この画面は、一邸分の部材データを検索する画面であり、ここでは、図７で指定した邸コード“QQQ001”に対応する部材データが表示されている。さらに、ボタン“検索”をマウス等でクリックすると、検索条件に合致した部材が表示される。部材の検索結果は、５０件ずつ表示される。件数表示の左右の矢印により、検索結果はページめくりされる。
【００７３】
この画面上には、図７で表示されていた邸コード“QQQ001”の邸情報が表示されており、その下には、検索条件を入力するボックス「品名」、「品番」、「ユニット番号」、「部位」が設けられている。ここでの検索条件は、部材の属性情報により検索を行うための条件である。また、該ボックスの下には、コメント“黄色い背景の行は工場取扱品です。”が表示されている。
【００７４】
さらに、上記コメントの下には、邸コード“QQQ001”に対応する全部材データが表示されている。ここでは主に３つの部材データが表示されており、図４同様に、品番、品名、数量、ユニット番号、部位、区分、工場取扱品の項目で表示されている。
【００７５】
１段目に、品番“FF0004”、品名“＃＃＃＃＃”、数量“2”、ユニット番号“0”、部位“T”、区分“場内”、及び工場取扱品“◎”からなる部材データが表示されている。２段目には、品番“GG0006”、品名“％％％％％”、数量“1”、ユニット番号“0”、部位“T”、区分“場内”、及び工場取扱品“◎”からなる部材データが表示されている。３段目には、品番“HH0007”、品名“＆＆＆＆＆”、数量“3”、ユニット番号“0”、部位“T”、区分“場内”、及び工場取扱品“◎”からなる部材データが表示されている。
【００７６】
本実施の形態では、この邸別部材検索画面にはユニット番号の昇順に、部材データが表示されている（３段目以降図示せず）。したがって、利用者は、この画面をスクロールすることにより所定の部材を探すことができる。
【００７７】
また、「品名」、「品番」、「ユニット番号」、又は「部位」等の部材の属性情報を検索条件とした検索により、該当する部材を探すことができる。ステップＳ１１２では、例として部材の属性情報「ユニット番号」“3”を入力する。
【００７８】
つぎに、ステップＳ１１３で、ボタン“条件クリア”がクリックされたか否かを判別する。ステップＳ１１３において、ボタン“条件クリア”がクリックされた場合には、先に入力された検索条件を表示画面からクリアしてステップＳ１１２に戻る。また、ボタン“条件クリア”がクリックされない場合、ステップＳ１１４に進む。
【００７９】
ステップＳ１１４では、ボタン“検索”のクリックに応じて、制御部９は部材ＤＢ２７を参照し、次いでステップＳ１１５で、邸コード“QQQ001”に対応する部材データのうち、受信した属性情報「ユニット番号」“3”に該当する部材データを読み出す。
【００８０】
つぎに、ステップＳ１１６では、上記読み出された部材データをＡＳ端末３に送信し、邸別部材検索結果画面（図示せず）に表示する。この邸別部材検索結果画面には、図８に示す検索画面に表示されている部材データのうち、属性情報「ユニット番号」“3”に対応する部材データのみが表示される。
【００８１】
なお、本実施の形態での検索条件の入力に関し、「品名」には、品名（部材名）に含まれる文字列が入力される。“％”、“＿”を使ったあいまい検索ができる。「品番」には、品番に含まれる文字列が入力される。“％”、“＿”を使ったあいまい検索ができる。「ユニット番号」には、検索する部材が取り付けられるユニット番号が入力される。３つまで指定でき、指定されたいずれかのユニット番号に合致する部材が検索される。「部位」は、ユニット同様に、検索する部材が取り付けられる部位が入力される。３つまで指定でき、指定されたいずれかの部位に合致する部材が検索される。ボタン“◇”をクリックすることで表示されるドロップダウンメニューから部位が選択される。「区分」には、図４に例示したように、“場内”、“場外”、“出荷”、及び“追送”のいずれかが選択される。また、「工場取扱品」については、工場加工品である場合には、その行が色分けして表示される。
【００８２】
以上により、本実施の形態による検索システムは、部材検索時に所持している邸の情報の不確かさを考慮して、はじめに、邸情報ＤＢ２５を参照して該当する邸を探す。つぎに、該当邸の部材データ一覧をスクロールして所定部材を探してもよいし、ユニット又は部位等の検索条件を考慮した部材データを探すこともできる。
【００８３】
次に、施主からリコール等の請求があった部材の部材データを有する邸のリストを表示する場合を、図５のフローチャート及び、図９乃至図１２を用いて説明する。
【００８４】
部材の品番が特定できる場合には、図９に示す品番串刺し検索画面で、品番を指定して入力する。ここでは、部材「タイヨウデンチＰＬヒョウジラベル」の品番“ＺＰＣ６９００”が指定される。
【００８５】
この品番串刺し検索画面では、検索結果が膨大になるのを防止するため、品番の曖昧指定ができないように構成されている。
【００８６】
このため、前記ステップＳ１１１に戻り、邸別部材検索画面の表示を用いて、問題のある部材の品番を予め調べ、ステップＳ１１７では、７桁の完全な品番を入力する。
【００８７】
また、この品番串刺し検索画面では、全ての邸の構成部品を検索対象とするので、対象邸の数に応じてかなりの時間がかかる。
【００８８】
このため、前記制御部９の絞り込み機能を用いた指定入力欄が設けられている。図９に示す品番串刺し検索画面の指定入力欄は、出荷日指定欄、生産会社コード指定欄、依頼部署コード指定欄、工事部所コード指定欄、商品タイプ指定欄から構成されている。
【００８９】
ステップＳ１１８では、この指定入力欄を用いて出荷日、生産会社、依頼部署、工事部所、商品タイプを指定して検索件数を絞り込むことができる。
【００９０】
ステップＳ１１９では、邸のリストの出力件数が出力されて、図１０に示すような検索条件見直し画面が表示される。
【００９１】
この検索条件見直し画面には、品番検索の対象となる邸の数、品番検索に必要とされる時間が表示される。
【００９２】
この実施の形態では、前記部材品番入力の条件で、品番検索の対象となる邸の数は１３４０棟、品番検索に必要とされる時間は、５４秒と表示される。
【００９３】
ステップＳ１２０では、この検索条件見直し画面で「検索条件見直し」をクリックして、検索条件見直しが選択された場合には、前記ステップＳ１１８に戻って、前記図９に示す品番串刺し検索画面で、再度絞り条件を指定し直す。
【００９４】
また、この検索条件見直しが選択されない場合には、次のステップＳ１２０に進む。
【００９５】
この実施の形態では、そのまま、「次へ」がクリックされて、検索が実行される。
【００９６】
そして、ステップＳ１２１では、図１１に示すような品番串刺し検索結果表示画面が表示される。
【００９７】
この品番串刺し検索結果表示画面では、検索の終了のお知らせテロップ「検索が終了しました。」が表示されると共に、検索対象が何件で、そのうち、指定の部材が何棟であったかが、表示される。
【００９８】
この実施の形態では、１３４０棟のチェックが行われて、そのうち、指定の部品が使用されていた邸は、４０４棟であった。
【００９９】
この実施の形態では、ステップＳ１２２で、検索と同時に、前記制御部９で、検索結果がＣＳＶ形式のファイルとして出力されて、このＣＳＶファイルが、前記検索サーバ２の所定のフォルダに、３日間保存される。
【０１００】
更に、この品番串刺し検索結果表示画面には、検索結果をダウンロード出来るように、前記ＣＳＶファイルが格納されたフォルダのＵＲＬが表示されると共に、「今すぐダウンロード」欄をクリックすることにより、このＣＳＶファイルを直ちにダウンロードできる。
【０１０１】
図１２は、この実施の形態の検索結果としてのＣＳＶファイルの内容を示している。
【０１０２】
この図１２に示す検索結果では、前記図３，４に示された邸情報のうち、邸コード“ＡＡＡ００１”、邸名“ヤマダサマ００１”の出荷時期のデータは、１９９９年１月８日であるので、ステップＳ１１８の検索条件の絞り込みで、前記図９に示すように、１９９９年３月０１から２０００年７月３０日までの出荷に絞り込んだ結果、検索の対象とならず、結果のリストには出力されなかった。
【０１０３】
また、前記図３，４に示された邸情報のうち、邸コード“ＡＢＣ００３”、邸名“スズキサマ００１”の出荷時期のデータは、１９９９年３月２１日であるので、ステップＳ１１８の検索条件の絞り込みで、前記図９に示すように、１９９９年３月０１から２０００年７月３０日までの出荷に絞り込んだ結果、検索の対象となり、図１２に示すように結果のリストに出力されている。
【０１０４】
このように、前記制御部９が、特定の部材の指定又は属性情報の指定に応じて、前記部材ＤＢ２７及び邸情報ＤＢ２５に記憶されている部材データの中から該当する部材データを有する前記邸のリストを読み出し、出力する。
【０１０５】
このため、問題が生じた部材が使用されている邸が、一覧として出力されて、直ちに、交換、或いは修繕等のメンテナンスを行えるので、アフターサービス性が良好である。
【０１０６】
また、予め前記制御部９によって、図４に示すように邸毎の部材データが出力されるので、この部材データの一覧表示で、問題となった部材データを特定し、この部材データを、ステップＳ１１７で確実に指定することが出来る。
【０１０７】
このため、部材が特定できず、曖昧な場合にも、図４に示されるような邸固有なデータに結びついている部材データを参照しながら問題解決の糸口が得られる。
【０１０８】
そして、指定された部材データの部材が、用いられている邸のリストが、図１２に示すように、読み出されて出力されることにより、問題が発生しそうな邸のリストを含めて、出力することが出来る。
【０１０９】
このため、問題発生前に、事前に使用上の注意、交換を行えるので、アフターサービス性を更に向上させることが出来る。
【０１１０】
更に、前記品番串刺し検索画面の指定入力欄で、邸情報が指定されることにより、前記制御部９の絞り込み機能で、リストの出力件数が絞り込まれる。
【０１１１】
このため、予め出力された邸のリストの出力件数が、多い場合でも、この絞り込みにより件数を減少させて、或いは、時期又は地域等で分割させて出力することが出来、メンテナンスが必要な邸の洗い出しを、更に、迅速に行うことができる。
【０１１２】
以上、この発明の実施の形態を図面を参照して詳述してきたが、具体的な構成はこれらの実施の形態に限られるものではなく、この発明の要旨を逸脱しない範囲の設計の変更等があってもよい。
【０１１３】
たとえば、上記実施の形態では、部材ＤＢ２７が邸名及び邸コードに対応して部材データを記憶することで、邸検索（邸情報ＤＢ２５）から部材データ検索（部材ＤＢ２７）へのリンクを実現している。本発明はこれに限定されず、部材ＤＢ２７が邸に固有な情報に対応して部材データを記憶していればよい。
【０１１４】
また、上記実施の形態では、邸情報のうち、邸に非固有な情報である邸検索条件「商品タイプ」で検索し（図６参照）、該商品タイプに該当する邸が全て表示された上で所定の邸を指定している（図７参照）。本発明はこれに限定されず、たとえば、邸名又は邸コード等、邸に固有な情報により邸検索を行うことで、部材ＤＢ２７に対する検索のみで所定の部材を探すことができる。
【０１１５】
いずれにしても、本発明の邸展開データ検索システムは、部材ＤＢ２７が、邸の固有情報に対応して該邸を構成する部材データを記憶する。制御部９が、上記邸の固有情報の指定に応じて、部材ＤＢ２７に記憶されている部材データの中から該当する部材データを読み出し、表示部１９又はプリンタ（図示せず）等の出力装置に出力制御する。この構成を実現することで、検索サーバ２をスタンドアロンの検索装置とし、邸別部材検索画面（図８参照）をスクロールする等して所定部材を探すことができる。
【０１１６】
また、この場合、制御部９が、上記邸の固有情報の指定に応じて、部材ＤＢ２７に記憶されている部材データの中から該当する部材データを読み出し、通信網５を介して邸の固有情報を指定した端末に送信制御する構成としてもよい。この構成では、遠隔地に配置される端末が、通信回線を介して検索サーバ２にアクセスでき、部材の検索が可能となる。
【０１１７】
さらに、上記構成において、邸別部材検索画面（図８参照）から、検索する部材が設けられるユニット又は部位等の特徴を表わす属性情報を検索条件として指定する構成としてもよい。また、邸検索画面（図６参照）に代えて、上記邸の固有情報と上記属性情報とを同時に検索条件として指定する画面（図示せず）を設け、該当する部材データを直接検索する構成としてもよい。
【０１１８】
いずれにしても、部材ＤＢ２７は、各部材に部材の特徴を表わす属性情報が付加された部材データを記憶する。制御部９は、邸の固有情報及び属性情報の指定に応じて、部材ＤＢ２７に記憶されている部材データの中から該当する部材データを読み出し、表示部１９又はプリンタ（図示せず）等の出力装置に出力制御するか、または、邸の固有情報を指定した端末に送信制御する。この構成を実現することで、より的を絞った検索を効率よく実行することができる。
【０１１９】
なお、上記邸の固有情報（及び属性情報）を指定した端末とは、上記実施の形態でのＡＳ端末３のＰＣに限定されず、たとえば、現場担当者等が所有する携帯電話又はＰＨＳ等、検索サーバ２にアクセス可能な機器であればよい。
【０１２０】
また、上記実施の形態では、部材の特徴を表わす属性情報として、「品番」、「ユニット番号」、「部位」、「区分」、「工場取扱品」を例示しているが、本発明はこれに限定されない。たとえば、同一形状部材の左／右を示す情報、部材の原材料品番、部材の配下にある子部材の有無、「品番」での発注の可否を示す情報、上記配下子部材の品番又は品名等、部材の検索に際してキーとなり得る情報であれば利用できる。
【０１２１】
本発明の邸展開データ検索システムは、住宅の生産部門で発生する邸別の部材情報を元に、アフターメンテナンス部門で公開可能なデータベースを構築することによる。
【０１２２】
邸別の部材情報は生産部門にて発生するため、取り付け場所がある程度特定できる。本発明ではこれを公開情報にも継承させている。具体的には、ユニット工法住宅の基本構成である、ユニット番号を付加している。同様に、部材番号のコード仕様が標準化されている為、メニュー（住宅の部位、すなわち、家の大きな構成要素、例えば、階段・玄関・窓等）指定の検索を可能にする。
【０１２３】
データベースの内容はＷＥＢサーバ上に公開し、社内イントラネットはもとより、インターネット上で公開することができる。また、社外施工業者・部材供給メーカにも公開することができる。
【０１２４】
また、ダウンロード機能により、参照拠点での加工利用が可能である。生産段階で発生した部材情報のため、正しい部材発注が可能となり、不良部材（品質不良・性能目標未達）を検索することもできる。
【０１２５】
なお、本発明の邸展開データ検索システムは、本邸展開データ検索システムを機能させるためのプログラムでも実現される。このプログラムは、コンピュータで読み取り可能な記録媒体に格納されている。
【０１２６】
本システムの動作を実行するプログラムを記録した記録媒体は、図２に示される検索サーバ２のＲＯＭ１５そのものであってもよいし、また、外部記憶装置としてＣＤ−ＲＯＭドライブ２１等のプログラム読取装置が設けられ、そこに記録媒体を挿入することで読み取り可能なＣＤ−ＲＯＭ２３等であってもよい。
【０１２７】
又、顧客からの修繕、補修の要求があったり、住宅メーカからアフターメンテナンス作業の必要が生じた時は、特定の邸において使用された部材の取付け場所を含めた属性情報を速やかに把握することができ、充分なアフターメンテナンス業務を遂行することができる。
【０１２８】
また、上記記録媒体は、磁気テープ、カセットテープ、フレキシブルディスク、ハードディスク、ＭＯ／ＭＤ／ＤＶＤ（ブルーレイＤＶＤも含む）等、又は半導体メモリであってもよい。
【０１２９】
【発明の効果】
本発明の請求項１記載のものでは、前記制御手段が、特定の部材の指定又は属性情報の指定に応じて、前記記憶手段に記憶されている部材データの中から該当する部材データを有する前記邸のリストを読み出し、出力する。
【０１３０】
このため、問題が生じた部材が使用されている邸が、一覧として出力されて、直ちに、交換、或いは修繕等のメンテナンスを行えるので、アフターサービス性が良好である。
【０１３１】
また、請求項２に記載されたものでは、前記制御手段によって、邸毎の部材データが出力されるので、該部材データの一覧表示で、問題となった部材データを特定し、該部材データを指定することが出来る。
【０１３２】
このため、部材が特定できず、曖昧な場合にも、問題解決の糸口が得られる。
【０１３３】
そして、指定された部材データの部材が、用いられている邸のリストが、読み出されて出力されることにより、問題が発生しそうな邸のリストを含めて、出力することが出来る。
【０１３４】
このため、問題発生前に、事前に使用上の注意、交換を行えるので、アフターサービス性を更に向上させることが出来る。
【０１３５】
更に、請求項３に記載されたものでは、前記邸情報が指定されることにより、前記制御手段の絞り込み機能で、リストの出力件数が絞り込まれる。
【０１３６】
このため、予め出力された邸のリストの出力件数が、多い場合でも、該絞り込みにより件数を減少させて、或いは分割させて出力することが出来、メンテナンスが必要な邸の洗い出しを更に、迅速に行うことができる、といった実用上有益な効果を発揮することが出来る。
【図面の簡単な説明】
【図１】本発明の実施の形態による邸展開データ検索システムの構成を説明するブロック図である。
【図２】実施の形態による検索サーバの詳細構成を説明する図である。
【図３】実施の形態の邸情報ＤＢに記憶される邸情報を例示する図である。
【図４】実施の形態の部材ＤＢに記憶される部材データを例示する図である。
【図５】実施の形態による邸展開データ検索システムの動作を説明するフローチャートである。
【図６】実施の形態の邸検索画面を例示する図である。
【図７】実施の形態の邸検索結果画面を例示する図である。
【図８】実施の形態の邸別部材検索画面を例示する図である。
【図９】実施の形態の品番串刺し検索画面を例示して、出荷日及び生産会社コードを絞り込み条件として指定入力した場合の表示を例示する図である。
【図１０】実施の形態による検索条件見直し画面の表示を例示する図である。
【図１１】実施の形態の品番串刺し検索結果表示画面を例示する図である。
【図１２】実施の形態の邸検索結果を例示するＣＳＶファイルの邸リスト図である。
【符号の説明】
１  ＭＲＰサーバ
２  邸展開データ検索サーバ
３  アフターサービス（ＡＳ）端末
４  工事・施工端末
５  通信回線網
９  制御部
１１  送信／受信部
１３  ＲＡＭ
１５  ＲＯＭ
１７  入力操作部
１９  表示部
２１  ＣＤ−ＲＯＭドライブ
２３  ＣＤ−ＲＯＭ
２５  邸情報ＤＢ
２７  部材ＤＢ
【図１】
0003999009.tif 000002
【図２】
0003999009.tif 000003
【図３】
0003999009.tif 000004
【図４】
0003999009.tif 000005
【図５】
0003999009.tif 000006
【図６】
0003999009.tif 000007
【図７】
0003999009.tif 000008
【図８】
0003999009.tif 000009
【図９】
0003999009.tif 000010
【図１０】
0003999009.tif 000011
【図１１】
0003999009.tif 000012
【図１２】
0003999009.tif 000013